(57)【特許請求の範囲】
【請求項１】
投入された硬貨を一時保留する一時保留庫と、
前記硬貨を金種毎に振り分けて計数する振分部と、
前記金種毎に振り分けられた硬貨をそれぞれの収納庫に収納する収納庫部と、
前記収納庫部から払出された硬貨を搬送する出金搬送部と、
前記収納庫部から払出された硬貨を出金口へ払出すか前記一時保留庫へ搬送するかを切換える出金切換えゲートと、
前記収納庫部の各収納庫にそれぞれ設けられて各収納庫から払出された硬貨がそれぞれ自金種であることを識別し、その識別結果に応じて前記出金切換えゲートを制御する識別センサと、を備え、
前記識別センサは、自金種の検出レベルより自金種以外の金種の検出レベルの方が高く設定されていて自金種以外の金種の検出レベルが検出されることにより自金種でないと識別するようにしたことを特徴とする硬貨処理機。
【請求項２】
前記識別センサにより自金種でないと識別された場合は前記出金切換えゲートを前記一時保留庫側へ切換えて出金を停止し、全て自金種であると識別された場合は前記出金切換えゲートを前記出金口側へ切換えて出金を行うことを特徴とする請求項１記載の硬貨処理機。
【請求項３】
前記識別センサにより自金種でないと識別された場合、前記出金切換えゲートを前記一時保留庫側へ切換えて、その硬貨を前記一時保留庫に搬送した後、再度払出し動作を行うことを特徴とする請求項１記載の硬貨処理機。
【請求項４】
前記収納庫部の各収納庫は、硬貨を前記出金搬送部側へ供給する硬貨供給部、供給された硬貨を前記出金搬送部へ繰り出す硬貨繰出し部、及び前記識別センサからなる硬貨の払出し機構を有するとともに、
前記識別センサと前記硬貨繰出し部は、自金種以外の金種を自金種よりも繰出し方向の手前側で検出可能な位置に配置され、
自金種以外の硬貨を１枚単位で保持後に排出し、繰り出すことを特徴とする請求項１記載の硬貨処理機。
【請求項５】
投入された硬貨を金種毎に振り分けて各々の収納庫に収納するとともに、各収納庫から硬貨を計数して払出しする硬貨処理機の制御方法であって、
前記収納庫のそれぞれに設けられて自金種の検出レベルより自金種以外の金種の検出レベルの方が高く設定された識別センサにより前記収納庫から払出された硬貨がそれぞれ自金種であるかを識別し、自金種でないと識別された場合は出金を停止し、全て自金種であると識別された場合は出金を行うことを特徴とする硬貨処理機の制御方法。
【請求項６】
複数枚の払出しを行う場合に、前記識別センサにより自金種でないと識別された時点で前記硬貨の払出しを終了することを特徴とする請求項５記載の硬貨処理機の制御方法。
【請求項７】
投入された硬貨を金種毎に振り分けて各々の収納庫に収納するとともに、各収納庫から硬貨を計数して払出しする硬貨処理機の制御方法であって、
前記収納庫のそれぞれに設けられて自金種の検出レベルより自金種以外の金種の検出レベルの方が高く設定された識別センサにより前記収納庫から払出された硬貨がそれぞれ自金種であるかを識別し、自金種でないと識別された場合は、その硬貨を一時保留庫に搬送した後、再度払出し動作を行うことを特徴とする硬貨処理機の制御方法。
【請求項８】
投入された硬貨を一時保留する一時保留庫と、前記硬貨を金種毎に振り分けて計数する振分部と、前記金種毎に振り分けられた硬貨をそれぞれの収納庫に収納する収納庫部と、前記収納庫部から払出された硬貨を出金口へ払出すか前記一時保留庫へ搬送するかを切換える出金切換えゲートと、前記収納庫部の各収納庫にそれぞれ設けられ、自金種の検出レベルより自金種以外の金種の検出レベルの方が高く設定されていて自金種以外の金種の検出レベルが検出されることで自金種でないとすることにより各収納庫から払出された硬貨がそれぞれ自金種であることを識別し、その識別結果に応じて前記出金切換えゲートを制御する識別センサとを備えた硬貨処理機の制御方法であって、
前記収納庫から硬貨を払出して自金種であるかを前記識別センサにより識別し、自金種でないと識別された場合は前記出金切換えゲートを前記出金口側へ切換えてその硬貨を前記出金口へ払出し、自金種であると識別された場合は前記出金切換えゲートを前記一時保留庫側へ切換えてその硬貨を前記一時保留庫へ一時保留した後、前記振分部により計数を行うことにより精査することを特徴とする硬貨処理機の制御方法。
【請求項９】
前記収納庫から硬貨を複数回に分けて払出すことを特徴とする請求項８記載の硬貨処理機の制御方法。
【請求項１０】
前記各収納庫から順次それぞれの硬貨を払出すことを特徴とする請求項８記載の硬貨処理機の制御方法。
【発明の詳細な説明】
【技術分野】
【０００１】
本発明は、投入された硬貨を金種毎に振り分けて各々の収納庫に収納するとともに、各収納庫から硬貨を計数して払出しする硬貨処理機及びその制御方法に関する。
【背景技術】
【０００２】
スーパーマーケット等のＰＯＳ（Point Of Sales）レジには、預かり金の入金及び釣銭の出金を行うための硬貨処理機が使用されている。このような硬貨処理機として、従来、正規の硬貨であるかを識別し、異常硬貨を排除口に落下させるものが提案されている（例えば特許文献１参照）。
【０００３】
一方、例えば金種毎の収納庫を有する収納庫部の払出しセンサに識別機能を持たせることにより、自金種であるかを識別する機能を備えた硬貨処理機も知られており、異金種を検知した場合は、出金した釣銭構成が不確かである旨を表示するとともに、ＰＯＳレジへ通知して異常終了する。この場合、異常を通知することで、間違った出金硬貨をそのままお客へ渡さないようにすることができる。
【０００４】
また、直径が近い１００円硬貨と５円硬貨を分離しやすいように、直径により振り分けを行う振分部の前段に５円硬貨のみを抜き出す切換えゲートを設けている硬貨処理機もあるが、詰まり等の発生で自金種外の収納庫へ収納されてしまった場合は、出金時に検知することができず、間違った釣銭をお客に渡す恐れがある。
【０００５】
上記のようなＰＯＳレジに接続される硬貨処理機には自動精査機能がなく、詰まりが発生して枚数が不確かになったような場合には、内部の硬貨を全て回収した後、再入金して合わせ作業を行っており、手間と時間を要する。この合わせ作業を行わないと、誤差が蓄積してしまう。
【特許文献１】特開平１０−９７６６７号公報
【発明の開示】
【発明が解決しようとする課題】
【０００６】
上記のような従来の硬貨処理機では、出金動作が異常終了した場合、手動により正しい釣銭にしてお客に渡した後、硬貨処理機を正常に復旧させる必要があり、また、異金種を払出した場合は、間違った釣銭をお客に渡してしまうという問題があった。さらに、詰まりが発生した場合には、復旧操作に手間と時間を要するという問題があった。
【０００７】
本発明は、このような点に鑑みてなされたものであり、振分収納時に誤振分が発生した場合でも常に正しい釣銭を出金することが可能となり、異常復旧操作の必要もなく、また詰まりが発生した場合でも復旧操作に手間と時間を要することのない硬貨処理機及びその制御方法並びに硬貨処理機の精査方法を提供することを目的とする。
【課題を解決するための手段】
【０００８】
本発明では上記課題を解決するために、投入された硬貨を一時保留する一時保留庫と、前記硬貨を金種毎に振り分けて計数する振分部と、前記金種毎に振り分けられた硬貨をそれぞれの収納庫に収納する収納庫部と、前記収納庫部から払出された硬貨を搬送する出金搬送部と、前記収納庫部から払出された硬貨を出金口へ払出すか前記一時保留庫へ搬送するかを切換える出金切換えゲートと、前記収納庫部の各収納庫にそれぞれ設けられて各収納庫から払出された硬貨がそれぞれ自金種であることを識別し、その識別結果に応じて前記出金切換えゲートを制御する識別センサと、を備え、前記識別センサは、自金種の検出レベルより自金種以外の金種の検出レベルの方が高く設定されていて自金種以外の金種の検出レベルが検出されることにより自金種でないと識別するようにしたことを特徴とする硬貨処理機が提供される。
【０００９】
このような硬貨処理機によれば、振分収納時に誤振分が発生した場合でも常に正しい釣銭を出金することが可能となり、異常復旧操作の必要もなくなる。
また、本発明では上記課題を解決するために、投入された硬貨を金種毎に振り分けて各々の収納庫に収納するとともに、各収納庫から硬貨を計数して払出しする硬貨処理機の制御方法であって、前記収納庫のそれぞれに設けられて自金種の検出レベルより自金種以外の金種の検出レベルの方が高く設定された識別センサにより前記収納庫から払出された硬貨がそれぞれ自金種であるかを識別し、自金種でないと識別された場合は出金を停止し、全て自金種であると識別された場合は出金を行うことを特徴とする硬貨処理機の制御方法が提供される。
【００１０】
このような硬貨処理機の制御方法によれば、振分収納時に誤振分が発生した場合でも常に正しい釣銭を出金することが可能となり、異常復旧操作の必要もなくなる。
また、本発明では上記課題を解決するために、投入された硬貨を金種毎に振り分けて各々の収納庫に収納するとともに、各収納庫から硬貨を計数して払出しする硬貨処理機の制御方法であって、前記収納庫のそれぞれに設けられて自金種の検出レベルより自金種以外の金種の検出レベルの方が高く設定された識別センサにより前記収納庫から払出された硬貨がそれぞれ自金種であるかを識別し、自金種でないと識別された場合は、その硬貨を一時保留庫に搬送した後、再度払出し動作を行うことを特徴とする硬貨処理機の制御方法が提供される。
【００１１】
このような硬貨処理機の制御方法によれば、振分収納時に誤振分が発生した場合でも常に正しい釣銭を出金することが可能となり、異常復旧操作の必要もなくなる。
また、本発明では上記課題を解決するために、投入された硬貨を一時保留する一時保留庫と、前記硬貨を金種毎に振り分けて計数する振分部と、前記金種毎に振り分けられた硬貨をそれぞれの収納庫に収納する収納庫部と、前記収納庫部から払出された硬貨を出金口へ払出すか前記一時保留庫へ搬送するかを切換える出金切換えゲートと、前記収納庫部の各収納庫にそれぞれ設けられ、自金種の検出レベルより自金種以外の金種の検出レベルの方が高く設定されていて自金種以外の金種の検出レベルが検出されることで自金種でないとすることにより各収納庫から払出された硬貨がそれぞれ自金種であることを識別し、その識別結果に応じて前記出金切換えゲートを制御する識別センサとを備えた硬貨処理機の制御方法であって、前記収納庫から硬貨を払出して自金種であるかを前記識別センサにより識別し、自金種でないと識別された場合は前記出金切換えゲートを前記出金口側へ切換えてその硬貨を前記出金口へ払出し、自金種であると識別された場合は前記出金切換えゲートを前記一時保留庫側へ切換えてその硬貨を前記一時保留庫へ一時保留した後、前記振分部により計数を行うことにより精査することを特徴とする硬貨処理機の制御方法が提供される。
【００１２】
このような硬貨処理機の制御方法によれば、詰まりが発生した場合でも復旧操作に手間と時間を要することはない。
【発明の効果】
【００１３】
本発明の硬貨処理機及びその制御方法は、各収納庫から払出された硬貨がそれぞれ自金種であるかを識別センサにより識別するので、振分収納時に誤振分が発生した場合でも常に正しい釣銭を出金することが可能となり、異常復旧操作の必要もないという利点がある。また、詰まりが発生した場合でも復旧操作に手間と時間を要することはない。
【発明を実施するための最良の形態】
【００１４】
以下、本発明の実施の形態を図面を参照して説明する。
図１は本発明の実施の形態の硬貨処理機の構成を示すブロック図である。
この硬貨処理機には、硬貨が投入される投入部１、投入された硬貨を識別する検銭部２、リジェクトゲート３、投入された硬貨を一時保留する搬送機能を備えた一時保留庫４、キャンセルゲート５、硬貨を直径により金種毎に振り分けて計数する振分部６、金種毎に振り分けられた硬貨をそれぞれの収納庫に収納するとともに計数払出しを行う収納庫部７、収納庫部７から払出された硬貨を保留し搬送する出金搬送部８、収納庫部７から払出された硬貨を出金口へ払出すか一時保留庫４へ搬送するかを切換える出金切換えゲート９、出金口となる出金トレイ１０、リジェクト切換えゲート１１、キャンセル口１２、及び真偽の分からない硬貨を収納する不明庫１３が設けられている。
【００１５】
上記収納庫部７は、５００円収納庫７ａ、１０円収納庫７ｂ、１００円収納庫７ｃ、５円収納庫７ｄ、５０円収納庫７ｅ、及び１円収納庫７ｆに分かれている。そして、振分部６にて硬貨の直径に従って小さい順に各々の収納庫に収納されていく。
【００１６】
また、収納庫部７の各収納庫７ａ〜７ｆには、払出された硬貨がそれぞれ自金種であることを識別する識別センサとして払出し識別部１４ａ〜１４ｆが設けられている。そして、この払出し識別部１４ａ〜１４ｆにより自金種でないと識別された場合は、出金切換えゲート９を一時保留庫４側へ切換えて出金を停止し、全て自金種であると識別された場合は、出金切換えゲート９を出金トレイ１０側へ切換えて出金を行う。複数枚の払出しを行う場合は、払出し識別部１４ａ〜１４ｆにより自金種でないと識別された時点で硬貨の払出しを終了する。
【００１７】
次に、上記構成の硬貨処理機の動作について説明する。まず、硬貨処理機が前述のＰＯＳレジに接続されて動作する様子から説明する。なお、硬貨処理機は、通常上位機であるＰＯＳレジに接続されている。
【００１８】
（１）お客の買い上げ品の商品スキャン（登録）が終了すると、ＰＯＳレジは合計額を計算し、その金額をＰＯＳレジの表示部に表示する。そして、通常はＰＯＳレジの担当者がその金額を読み上げ、お客は買い上げ額以上の貨幣を預かり金としてＰＯＳレジの担当者に渡す。
【００１９】
（２）ＰＯＳレジの担当者は、預かり金額を読み上げるとともに（または読み上げがなくても良い）、ＰＯＳレジにその金額を打刻する。
（３）ＰＯＳレジは、「釣銭金額」＝「預かり金額（打刻額）−買い上げ額」を計算し、硬貨処理機に通知する。
【００２０】
（４）硬貨処理機は、受け取った金額に従い、各硬貨の金種及び枚数を計算し、釣銭を出金する。
（５）ＰＯＳレジの担当者は、紙幣のお釣り、レシート及び上記硬貨処理機から出金された硬貨をお客に渡す。
【００２１】
（６）お客が納得し、ＰＯＳレジを離れたら、預かり金を硬貨処理機及びドロア（あるいは紙幣処理機）に投入して入金する。
以上がＰＯＳレジでの貨幣の受け渡しであるが、従来の硬貨処理機では、上記（４）の出金が仮に異常終了した場合、手動にて正しい釣銭にしてお客に渡した後、硬貨処理機を正常に復旧させる必要があった。また、出金時に金種の確認ができていない場合には、異金種の払出しにより間違った釣銭をお客に渡すことになる。
【００２２】
そこで、本実施の形態では、各収納庫７ａ〜７ｆから払出された硬貨がそれぞれ自金種であるかを払出し識別部１４ａ〜１４ｆにより識別するので、振分収納時に誤振分が発生した場合でも常に正しい釣銭を出金することが可能となり、異常復旧操作の必要もなくなる。
【００２３】
図２は実施の形態の硬貨処理機の動作の流れを示す図である。
（入金収納）
投入部１に投入（Ｓ１）された硬貨は、検銭部２で金種が特定され（Ｓ２）、このとき正しいと判定された硬貨はリジェクトゲート３の作用（Ｓ３）により一時保留庫４へ搬送されて収納される（Ｓ４）。正しくないと判定された硬貨の場合は、リジェクトゲート３にて排除され、リジェクト切換えゲート１１の作用（Ｓ１１）により出金トレイ１０に返却されるか（Ｓ１０）、リジェクト切換えゲート１１により不明庫１３に格納される（Ｓ１３）。
【００２４】
上記一時保留庫４に保留された硬貨は、上位からの指示もしくは硬貨処理機の操作部での操作指示に従って、一時保留庫４の搬送ベルトによりキャンセルゲート５を経て（Ｓ５）、振分部６に搬送される（Ｓ６）。振分部６は、硬貨の直径に基づき、小径から大径の硬貨に対応した切欠きが順次設けられており、搬送された硬貨は小径順に落下して計数される。この振分部６で振り分け、計数された硬貨は、収納庫部７に金種別に収納される（Ｓ７）。
【００２５】
（入金キャンセル）
また、上記一時保留庫４に保留された硬貨は、上位からの指示もしくは上記操作部での操作指示に従って、キャンセルゲート５によりキャンセル口１２に返却され、入金キャンセルされる（Ｓ１２）。
【００２６】
なお、入金一時保留機能を使わない運用の場合には、一時保留庫４を投入部１及び検銭部２に連動させて駆動し、常に振分部６に搬送しても良い。
（出金）
上位機あるいは硬貨処理機から出金の指示が行われると、収納庫部７から出金の指示に従った金種及び枚数の繰り出しを開始する。収納庫部７の各収納庫７ａ〜７ｆには、少なくとも自金種を判別可能な払出し識別部１４ａ〜１４ｆが設けられており、各硬貨が繰り出される毎に識別が行われ、繰り出された硬貨は出金搬送部８上に保留される。
【００２７】
そして、繰り出された硬貨が全て正しいと判別された場合は、出金搬送部８により硬貨が搬送され（Ｓ８）、出金切換えゲート９が出金トレイ１０側に切換えられて（Ｓ９）、出金トレイ１０に出金される（Ｓ１０）。しかし、繰り出された硬貨の中に正しくないと判別された硬貨があった場合には、出金切換えゲート９が一時保留庫４側に切換えられた後、出金搬送部８が駆動され、一時保留庫４へ搬送される。
【００２８】
その後、出金搬送部８が停止された後、再度収納庫部７から金種及び枚数の繰り出しを行い、全て正しい硬貨と判別された場合は、上記と同様に出金切換えゲート９が出金トレイ１０側に切換えられて（Ｓ９）、出金トレイ１０に出金される（Ｓ１０）。
【００２９】
以上で正常な出金動作が終了するが、上記の一時保留庫４に搬送しておいた硬貨は、この動作が終了したタイミングあるいは次の入金のタイミングで振分部６により収納庫部７に再収納される。
【００３０】
（精査）
次に、本実施の形態の硬貨処理機の精査動作について説明する。この精査は、硬貨処理機内にて硬貨を識別して再計数することである。
【００３１】
上述のＰＯＳレジでの貨幣の受け渡しの際、出金が異常終了した場合に、例えば未計数硬貨をお客に渡したり、逆に計数済み硬貨を硬貨処理機内に戻したりして、詰まり硬貨の処置を間違うと、硬貨処理機の記憶している枚数データと収納している現物枚数の間に差が生じてしまう。この差が生じている状態で、硬貨処理機の枚数データをレジの現金としてレジ閉めを行うと、理論上のレジ現金との間に差が発生する。このことは、出金時の詰まりだけでなく、入金（収納）時の詰まりについても同様であり、データに差が生じる可能性がある。そこで、本実施の形態では、自動的に硬貨の枚数を再計数（精査）する機能を備えている。
【００３２】
すなわち、各収納庫７ａ〜７ｆから硬貨を払出して自金種であるかを払出し識別部１４ａ〜１４ｆにより識別し、自金種でないと識別された場合は出金切換えゲート９を出金トレイ１０側へ切換えてその硬貨を出金トレイ１０へ払出し、自金種であると識別された場合は出金切換えゲート９を一時保留庫４側へ切換えてその硬貨を一時保留庫４へ一時保留した後、振分部６により計数を行う。
【００３３】
具体的には、例えばまず、５００円収納庫７ａを駆動し、出金搬送部８に数枚ずつ複数回に分けて繰り出す。このとき、繰り出された硬貨が５００円収納庫７ａの繰出し部に設けられた払出し識別部１４ａにて自金種であることが確認されると、出金切換えゲート９を一時保留庫４側へ切換え、出金搬送部８を駆動して一時保留庫４に搬送する。もし、繰り出された硬貨の中に自金種以外と判定されたものが検出された場合は、出金切換えゲート９を出金トレイ１０側へ切換え、出金搬送部８を駆動して出金トレイ１０に搬送する。これにより、５００円収納庫７ａに含まれていた５００円硬貨以外の硬貨を硬貨処理機から排出することができる。
【００３４】
このようにして、各収納庫７ａ〜７ｆから順次それぞれの硬貨を繰り出し、正常硬貨は一時保留庫４へ送り、異金種と判定された硬貨は出金トレイ１０から排除する動作を繰り返す。
【００３５】
上記一時保留庫４は、１金種分の各収納庫７ａ〜７ｆの硬貨を全て収納可能な容量を有しており、全ての硬貨が一時保留庫４に搬送されると、振分部６を駆動し、振分部６に設けられている計数センサにより再計数する。この計数結果に基づき、硬貨処理機の記憶枚数を更新する。
【００３６】
そして、上記の動作を順次各収納庫７ａ〜７ｆについて行い、精査を終了する。これにより、詰まり解除時に収納間違いがあったような場合でも、人手を介さずに硬貨処理機にて自動的に各金種の収納枚数の正確な再計数、つまり精査が可能となり、レジ担当者による回収、再入金の操作が必要なく、復旧操作に手間と時間を要することはない。
【００３７】
以上の動作は精査の基本動作であるが、ここで出金搬送部８上には自金種以外の硬貨を検出するまでに搬出された自金種も含まれており、これらの自金種も例えば数枚排出されることになる。次に、自金種以外の硬貨のみを排出する場合について説明する。
【００３８】
図３は実施の形態の硬貨処理機の硬貨の払出し機構を示す図である。同図の（ａ）は上面図、（ｂ）は側面図である。この払出し機構は、収納庫部７の硬貨１５を出金搬送部８側へ供給するベルト状の硬貨供給部１６、供給された硬貨１５を出金搬送部８へ繰り出すベルト状の硬貨繰出し部１７、及び前述の識別センサ（払出し識別部１４ａ〜１４ｆ）である面状の払出し識別部１４から構成されている。払出し識別部１４と硬貨繰出し部１７は自金種以外の金種を自金種よりも繰出し方向の手前側で検出可能な位置に配置され、自金種以外の硬貨を１枚単位で保持後に排出し、繰り出す構成となっている。
【００３９】
図４は実施の形態の硬貨処理機の精査処理の具体例を示すフローチャートである。また、図５及び図６は実施の形態の硬貨処理機の識別センサの検出レベルを示す図であり、ここでは例として図５に５００円収納庫７ａの場合、図６に１０円収納庫７ｂの場合を示す。図５及び図６の（ａ）は払出し識別部１４ａ，１４ｂと硬貨１５の位置、（ｂ）は払出し識別部１４ａ，１４ｂの検出レベルを示している。
【００４０】
払出し識別部１４は自金種の検出レベルより自金種以外の金種の検出レベルの方が高く設定されており、図５に示すように、５００円収納庫７ａの払出し識別部１４ａは５００円硬貨の検出レベルよりも１０円硬貨の検出レベルの方が高く、また図６に示すように、１０円収納庫７ｂの払出し識別部１４ｂは１０円硬貨の検出レベルよりも５００円硬貨の検出レベルの方が高い。このような識別センサを構成するには、主に材質の違いに伴うインピーダンス変化のうち、インダクタンス分の変化あるいは純抵抗分の変化を適当に選択することで実施できる。
【００４１】
払出し識別部１４と硬貨繰出し部１７、硬貨供給部１６、及び出金搬送部８は図３に示すように配置されており、精査開始処理に入ると、出金切換えゲート９が一時保留庫４側に切換えられ（Ｓ１）、出金搬送部８が駆動されて（Ｓ２）、硬貨１５の払出しが行われる。その際、まず硬貨繰出し部１７が駆動され（Ｓ３）、続いて硬貨供給部１６が駆動される（Ｓ４）。これにより、硬貨１５は硬貨供給部１６上を経て払出し識別部１４に到達する。
【００４２】
払出し識別部１４は面状のセンサであり、硬貨１５の被さり量とその材質の差により検出レベルが変化する。例えば、５００円硬貨が払出し識別部１４ａを通過すると、図５に示すように、搬送に伴う被さり量の変化によって検出レベルが変化する。このとき、図示しない制御部はその検出レベルを判別しており、予め設定してある閾値（自金種以外の判別用）を超えないことをチェックしている。５００円硬貨の払出し時は、この閾値を超えることはなく、５００円硬貨は出金搬送部８を経由して一時保留庫４へ搬送される。
【００４３】
しかし、１０円硬貨が払出し識別部１４ａを通過すると、順次図５に示すように検出レベルが変化していく。同図では１０円硬貨が完全に通過した様子を示しているが、搬送途中の通過位置（４）で閾値に達する。制御部は、この時点で自金種以外の硬貨であると判断する。
【００４４】
具体的には、制御部は例えば硬貨供給部１６の駆動後に硬貨検知間隔タイマーをセットし（Ｓ５）、タイムアップする前に５００円硬貨の検知を繰り返し（Ｓ６，Ｓ７）、１０円硬貨を検知して（Ｓ８）、自金種より検出レベルが大である（高い）ことを判別すると（Ｓ９）、自金種以外の硬貨であると判断する。そして、制御部は硬貨供給部１６及び硬貨繰出し部１７を停止する（Ｓ１０，Ｓ１１）。この位置は図の（４）の位置であり、１０円硬貨は硬貨繰出し部１７に保持されている。
【００４５】
仮に、払出し識別部１４が自金種以外の検出レベルが高くないように設定され、自金種よりも検出レベルが低いような場合は、硬貨１５が払出し識別部１４を完全に通過した時点で検出レベルの適合を確認することになり、硬貨１５を保持しておくことは不可能である。
【００４６】
次に、制御部は出金搬送部８のアイドルタイムを設定する（Ｓ１２）。このタイム設定は出金搬送部８上の自金種の硬貨が一時保留庫４へ搬送されるためのものである。そして、出金搬送部８上の全ての硬貨（ここでは５００円硬貨）が一時保留庫４に搬送されたら出金切換えゲート９を出金トレイ１０側に切換えた後（Ｓ１３）、硬貨繰出し部１７を駆動する（Ｓ１４）。これにより、自金種以外と判断された硬貨（ここでは１０円硬貨）は出金搬送部８を通して出金トレイ１０に排出される。
【００４７】
自金種以外の硬貨の出金トレイ１０への排出が完了すると、制御部は出金搬送部８のアイドルタイムを設定する（Ｓ１５）。このタイム設定は出金搬送部８上の自金種以外の硬貨が出金トレイ１０へ搬送されるためのものである。そして、自金種以外の硬貨の出金トレイ１０上の排出が完了すると、出金切換えゲート９を一時保留庫４側へ切換え（Ｓ１６）、硬貨供給部１６を駆動して（Ｓ１７）、硬貨１５の払出しを再開し、精査動作を継続する。
【００４８】
収納庫部７の硬貨１５を全て払出すと、硬貨供給部１６、硬貨繰出し部１７、及び出金搬送部８を停止し（Ｓ１８，Ｓ１９，Ｓ２０）、振分計数処理へ移行する。すなわち、振分部６、一時保留庫４を順次駆動し、硬貨の再計数を行い、一時保留庫４の硬貨がなくなると、該当金種の精査が完了する。このようにして、自金種以外の硬貨のみを排出することができ、排出される硬貨を最小枚数にすることができる。
【００４９】
なお、以上の例では、検銭部２、リジェクトゲート３、リジェクト切換えゲート１１、キャンセル口１２、及び不明庫１３を備えた場合について説明したが、これらを備えなくても本発明を適用することができる。また、単体の硬貨処理機ではなく、紙幣処理機と一体になった貨幣処理機についても本発明を適用することができる。
【図面の簡単な説明】
【００５０】
【図１】本発明の実施の形態の硬貨処理機の構成を示すブロック図である。
【図２】実施の形態の硬貨処理機の動作の流れを示す図である。
【図３】実施の形態の硬貨処理機の硬貨の払出し機構を示す図である。
【図４】実施の形態の硬貨処理機の精査処理の具体例を示すフローチャートである。
【図５】実施の形態の硬貨処理機の識別センサの検出レベルを示す図である。
【図６】実施の形態の硬貨処理機の識別センサの検出レベルを示す図である。
【符号の説明】
【００５１】
１  投入部
２  検銭部
３  リジェクトゲート
４  一時保留庫
５  キャンセルゲート
６  振分部
７  収納庫部
７ａ〜７ｆ  収納庫
８  出金搬送部
９  出金切換えゲート
１０  出金トレイ
１１  リジェクト切換えゲート
１２  キャンセル口
１３  不明庫
１４，１４ａ〜１４ｆ  払出し識別部
１５  硬貨
１６  硬貨供給部
１７  硬貨繰出し部
【図１】
0004770512.tif 000002
【図２】
0004770512.tif 000003
【図３】
0004770512.tif 000004
【図４】
0004770512.tif 000005
【図５】
0004770512.tif 000006
【図６】
0004770512.tif 000007